【手続補正書】
【提出日】平成30年9月4日(2018.9.4)
【手続補正１】
【補正対象書類名】特許請求の範囲
【補正対象項目名】全文
【補正方法】変更
【補正の内容】
【特許請求の範囲】
【請求項１】
原稿を搬送する搬送手段と、
原稿台の上に載置された原稿を第１の解像度で読み取る第１の読取処理と、前記搬送手段によって搬送される原稿を、前記第１の解像度または前記第１の解像度よりも低い第２の解像度で読み取る第２の読取処理とを実行可能な読取手段と、
前記第１の読取処理による原稿の読み取りによって生成される画像データと、前記第２の読み取り処理による原稿の読み取りによって生成される画像データと、をユーザによる１回の出力指示で出力することが可能な設定を受け付ける設定受付手段とを有し、
前記読取手段は、前記設定受付手段が前記設定を受け付けたことに基づいて、前記第２の読取処理において原稿を前記第１の解像度で読み取ることを特徴とする原稿読取装置。
【請求項２】
前記設定受付手段が前記設定を受け付けていないことに基づいて、前記読取手段は、前記第２の読取処理において原稿を第２の解像度で読み取ることを特徴とする請求項１に記載の原稿読取装置。
【請求項３】
前記読取手段は、前記第１の読取処理による原稿の読み取りによって生成される画像データと、前記第２の読取処理による原稿の読み取りによって生成される画像データとを、読取指示を複数回受け付けることによって生成することを特徴とする請求項１又は２に記載の原稿搬送装置。
【請求項４】
前記第２の読取処理における解像度を受け付ける解像度受付手段をさらに有し、
前記解像度受付手段によって、前記第２の読取処理における解像度を前記第１の解像度に設定したことに基づいて、前記読取手段は、前記設定受け付け手段が前記設定を受け付けたか否かに関わらず、前記第２の読取処理において原稿を前記第１の解像度で読み取ることを特徴とする請求項１乃至３のいずれか１項に記載の原稿読取装置。
【請求項５】
原稿を前記第２の読取処理で読み取るときに、前記第２の解像度で原稿を読み取るときの原稿の搬送速度は、前記１の解像度で原稿を読み取るときの原稿の搬送速度より速いことを特徴とする請求項１乃至４のいずれか１項に記載の原稿読取装置。
【請求項６】
用紙に画像データを印刷する印刷手段をさらに有し、
前記印刷手段は、前記第１の読取処理による原稿の読み取りによって生成される画像データと、前記第２の読み取り処理による原稿の読み取りによって生成される画像データとに基づく画像を１回の印刷指示で印刷することを特徴とする請求項１乃至５のいずれか１項に記載の原稿読取装置。
【請求項７】
原稿を搬送する搬送手段と、
原稿台の上に載置された原稿を読み取る第１読取処理と、前記搬送手段によって搬送される原稿を読み取る第２読取処理と、を実行可能な読取手段と、
前記第１読取処理による原稿の読み取りによって生成される画像データと、前記第２読取処理による原稿の読み取りによって生成される画像データと、をユーザによる１回の出力指示で出力することが可能な設定を受け付ける設定受付手段とを有し、
前記設定受付手段が前記設定を受け付けたことに基づいて、前記読取手段は、前記第１読取処理と前記第２読取処理において同じ解像度で原稿を読み取ることを特徴とする原稿読取装置。
【請求項８】
前記第２の読取処理の解像度を受け付ける解像度受付手段をさらに有し、
前記解像度受付手段が前記解像度を受け付けた場合に、前記設定受付手段が前記設定を受け付けていないことに基づいて、前記読取手段は、前記第２の読取処理において原稿を第２の解像度で読み取ることを特徴とすることを特徴とする請求項７に記載の原稿読取装置。
【請求項９】
前記設定受付手段が前記設定を受け付けていないことに基づいて、前記読取手段は、前記第１読取処理と前記第２読取処理において異なる解像度で原稿を読み取ることができることを特徴とする請求項７または８に記載の原稿読取装置。
【請求項１０】
原稿を前記第２の読取処理で読み取るときに、前記第２の解像度で原稿を読み取るときの原稿の搬送速度は、前記１の解像度で原稿を読み取るときの原稿の搬送速度より速いことを特徴とする請求項７乃至９のいずれか１項に記載の原稿読取装置。
【請求項１１】
原稿を搬送する搬送手段を有する原稿読取装置の制御方法であって、
原稿台の上に載置された原稿を第１の解像度で読み取る第１の読取処理と、前記搬送手段によって搬送される原稿を、前記第１の解像度または前記第１の解像度よりも低い第２の解像度で読み取る第２の読取処理とを実行可能な読取工程と、
前記第１の読取処理による原稿の読み取りによって生成される画像データと、前記第２の読み取り処理による原稿の読み取りによって生成される画像データと、をユーザによる１回の出力指示で出力することが可能な設定を受け付ける設定受付工程とを有し、
前記読取工程は、前記設定受付工程において前記設定を受け付けたことに基づいて、前記第２の読取処理において原稿を前記第１の解像度で読み取ることを特徴とする原稿読取装置の制御方法。
【請求項１２】
原稿を搬送する搬送手段を有する原稿読取装置の制御方法であって、
原稿台の上に載置された原稿を読み取る第１読取処理と、前記搬送手段によって搬送される原稿を読み取る第２読取処理と、を実行可能な読取工程と、
前記第１読取処理による原稿の読み取りによって生成される画像データと、前記第２読取処理による原稿の読み取りによって生成される画像データと、をユーザによる１回の出力指示で出力することが可能な設定を受け付ける設定受付工程とを有し、
前記設定受付工程において前記設定を受け付けたことに基づいて、前記読取工程は、前記第１読取処理と前記第２読取処理において同じ解像度で原稿を読み取ることを特徴とする原稿読取装置の制御方法。
【請求項１３】
請求項１１又は１２に記載の原稿読取装置の制御方法を、コンピュータに実行させるためのプログラム。
【手続補正２】
【補正対象書類名】明細書
【補正対象項目名】０００１
【補正方法】変更
【補正の内容】
【０００１】
本発明は、原稿読取装置、原稿読取装置の制御方法及びプログラムに関するものである。
【手続補正３】
【補正対象書類名】明細書
【補正対象項目名】００１１
【補正方法】変更
【補正の内容】
【００１１】
本発明は、上記の問題点を解決するためになされたものである。本発明の目的は、第１の読取処理による原稿の読み取りによって生成される画像データと、第２の読み取り処理による原稿の読み取りによって生成される画像データと、をユーザによる１回の出力指示で出力する場合に、第１の読取処理と第２の読取処理とで解像度が異なることを防ぐことができる仕組みを提供することである。
【手続補正４】
【補正対象書類名】明細書
【補正対象項目名】００１２
【補正方法】変更
【補正の内容】
【００１２】
本発明は、原稿を搬送する搬送手段と、原稿台の上に載置された原稿を第１の解像度で読み取る第１の読取処理と、前記搬送手段によって搬送される原稿を、前記第１の解像度または前記第１の解像度よりも低い第２の解像度で読み取る第２の読取処理とを実行可能な読取手段と、前記第１の読取処理による原稿の読み取りによって生成される画像データと、前記第２の読み取り処理による原稿の読み取りによって生成される画像データと、をユーザによる１回の出力指示で出力することが可能な設定を受け付ける設定受付手段とを有し、前記読取手段は、前記設定受付手段が前記設定を受け付けたことに基づいて、前記第２の読取処理において原稿を前記第１の解像度で読み取ることを特徴とする。
【手続補正５】
【補正対象書類名】明細書
【補正対象項目名】００１３
【補正方法】変更
【補正の内容】
【００１３】
本発明によれば、第１の読取処理による原稿の読み取りによって生成される画像データと、第２の読み取り処理による原稿の読み取りによって生成される画像データと、をユーザによる１回の出力指示で出力する場合に、第１の読取処理と第２の読取処理とで解像度が異なることを防ぐことができる。
【手続補正６】
【補正対象書類名】明細書
【補正対象項目名】発明の名称
【補正方法】変更
【補正の内容】
【発明の名称】原稿読取装置、原稿読取装置の制御方法及びプログラム